【手続補正書】
【提出日】平成20年5月13日(2008.5.13)
【手続補正１】
【補正対象書類名】明細書
【補正対象項目名】発明の名称
【補正方法】変更
【補正の内容】
【発明の名称】照明装置及びその作製方法
【手続補正２】
【補正対象書類名】特許請求の範囲
【補正対象項目名】全文
【補正方法】変更
【補正の内容】
【特許請求の範囲】
【請求項１】
基板上に形成された絶縁層と、
前記絶縁層上に形成された配線と、
前記絶縁層及び前記配線を覆うように前記基板上に形成された第１の電極と、
前記第１の電極上に形成された発光物質を含む層と、
前記発光物質を含む層上に形成された第２の電極とを有することを特徴とする照明装置。
【請求項２】
基板上に形成された蛍光物質を含む絶縁層と、
前記絶縁層上に形成された配線と、
前記絶縁層及び前記配線を覆うように前記基板上に形成された第１の電極と、
前記第１の電極上に形成された発光物質を含む層と、
前記発光物質を含む層上に形成された第２の電極とを有することを特徴とする照明装置。
【請求項３】
基板上に格子状に形成された絶縁層と、
前記絶縁層上に形成された配線と、
前記絶縁層及び前記配線を覆うように前記基板上に形成された第１の電極と、
前記第１の電極上に形成された発光物質を含む層と、
前記発光物質を含む層上に形成された第２の電極とを有することを特徴とする照明装置。
【請求項４】
基板上に格子状に形成された蛍光物質を含む絶縁層と、
前記絶縁層上に形成された配線と、
前記絶縁層及び前記配線を覆うように前記基板上に形成された第１の電極と、
前記第１の電極上に形成された発光物質を含む層と、
前記発光物質を含む層上に形成された第２の電極とを有することを特徴とする照明装置。
【請求項５】
基板上に形成された第１の電極と、
前記第１の電極上に形成された凹部を有する絶縁層と、
前記絶縁層の凹部内に形成された配線と、
前記絶縁層及び前記配線を覆うように前記第１の電極上に形成された発光物質を含む層と、
前記発光物質を含む層上に形成された第２の電極とを有し、
前記配線は、前記絶縁層の凹部に形成された開口部を介して前記第１の電極に電気的に接続されていることを特徴とする照明装置。
【請求項６】
基板上に形成された第１の電極と、
前記第１の電極上に形成された凹部を有する蛍光物質を含む絶縁層と、
前記絶縁層の凹部内に形成された配線と、
前記絶縁層及び前記配線を覆うように前記第１の電極上に形成された発光物質を含む層と、
前記発光物質を含む層上に形成された第２の電極とを有し、
前記配線は、前記絶縁層の凹部に形成された開口部を介して前記第１の電極に電気的に接続されていることを特徴とする照明装置。
【請求項７】
基板上に形成された第１の電極と、
前記第１の電極上に、凹部を有し、かつ、格子状に形成された絶縁層と、
前記絶縁層の凹部内に形成された配線と、
前記絶縁層及び前記配線を覆うように前記第１の電極上に形成された発光物質を含む層と、
前記発光物質を含む層上に形成された第２の電極とを有し、
前記配線は、前記絶縁層の凹部に形成された開口部を介して前記第１の電極に電気的に接続されていることを特徴とする照明装置。
【請求項８】
基板上に形成された第１の電極と、
前記第１の電極上に、凹部を有し、かつ、格子状に形成された蛍光物質を含む絶縁層と、
前記絶縁層の凹部内に形成された配線と、
前記絶縁層及び前記配線を覆うように前記第１の電極上に形成された発光物質を含む層と、
前記発光物質を含む層上に形成された第２の電極とを有し、
前記配線は、前記絶縁層の凹部に形成された開口部を介して前記第１の電極に電気的に接続されていることを特徴とする照明装置。
【請求項９】
請求項１乃至請求項８のいずれか一項において、前記発光物質を含む層から発光した光は、前記第１の電極側から放射されることを特徴とする照明装置。
【請求項１０】
請求項１乃至請求項９のいずれか一項において、前記第１の電極は透明導電膜からなることを特徴とする照明装置。
【請求項１１】
請求項１乃至請求項１０のいずれか一項において、前記発光物質を含む層は、複数の発光物質を含む層が積層された構造であることを特徴とする照明装置。
【請求項１２】
請求項１乃至請求項１１のいずれか一項において、前記絶縁層は、シロキサン、アクリル又はポリイミドを有することを特徴とする照明装置。
【請求項１３】
請求項１乃至請求項１２のいずれか一項において、前記配線は、アルミニウム、ニッケル若しくはシリコンを含有するアルミニウム、又は銅を有することを特徴とする照明装置。
【請求項１４】
請求項１乃至請求項１３のいずれか一項において、前記基板は、可撓性を有することを特徴とする照明装置。
【請求項１５】
請求項１乃至請求項１４のいずれか一項において、前記基板の表面から前記絶縁層の表面までの距離は、前記絶縁層が形成されていない領域における前記基板表面から前記発光物質を含む層の表面までの距離より長いことを特徴とする照明装置。
【請求項１６】
請求項１乃至請求項１５のいずれか一項において、前記第１の電極と前記基板の間に、窒化珪素又は酸化珪素を含む絶縁層が形成されていることを特徴とする照明装置。
【請求項１７】
請求項１乃至請求項１６のいずれか一項において、前記発光物質を含む層は、第１の発光物質を含む層と、第２の発光物質を含む層と、前記第１の発光物質を含む層及び前記第２の発光物質を含む層の間に形成された電荷発生層とを有することを特徴とする照明装置。
【請求項１８】
請求項１乃至１７のいずれか一に記載の照明装置を用いた液晶表示装置のバックライト。
【請求項１９】
請求項１乃至１７のいずれか一に記載の照明装置を用いた室内の照明。
【請求項２０】
請求項１乃至１７のいずれか一に記載の照明装置を用いた外灯。
【請求項２１】
請求項１乃至１７のいずれか一に記載の照明装置を用いたインテリア用の照明。
【請求項２２】
請求項１乃至１７のいずれか一に記載の照明装置を用いたトンネル内の照明。
【請求項２３】
基板上に第１の絶縁層を形成し、
前記第１の絶縁層上に導電層を形成し、
前記第１の絶縁層及び導電層を加工して第２の絶縁層及び配線を形成し、
前記基板上に前記第２の絶縁層及び前記配線を覆うように第１の電極を形成し、
前記第１の電極上に発光物質を含む層を形成し、
前記発光物質を含む層上に第２の電極を形成することを特徴とする照明装置の作製方法。
【請求項２４】
基板上に第１の絶縁層を形成し、
前記第１の絶縁層を加工して第２の絶縁層を形成し、
前記基板及び前記第２の絶縁層上に導電層を形成し、
前記導電層を加工して前記第２の絶縁層上に配線を形成し、
前記基板上に前記第２の絶縁層及び前記配線を覆うように第１の電極を形成し、
前記第１の電極上に発光物質を含む層を形成し、
前記発光物質を含む層上に第２の電極を形成することを特徴とする照明装置の作製方法。
【請求項２５】
請求項２３又は２４において、前記第２の絶縁層には、蛍光物質が含まれていることを特徴とする照明装置の作製方法。
【請求項２６】
請求項２３乃至２５のいずれか一項において、前記第１の絶縁層を加工して格子状に前記第２の絶縁層を形成することを特徴とする照明装置の作製方法。
【請求項２７】
請求項２３乃至２６のいずれか一項において、前記発光物質を含む層から発光した光は、前記第１の電極側から放射されることを特徴とする照明装置の作製方法。
【請求項２８】
請求項２３乃至請求項２７のいずれか一項において、前記第１の電極は透明導電膜からなることを特徴とする照明装置の作製方法。
【請求項２９】
請求項２３乃至請求項２８のいずれか一項において、前記発光物質を含む層は、複数の発光物質を含む層が積層された構造であることを特徴とする照明装置の作製方法。
【請求項３０】
請求項２３乃至請求項２９のいずれか一項において、前記第２の絶縁層は、シロキサン、アクリル又はポリイミドを有することを特徴とする照明装置の作製方法。
【請求項３１】
請求項２３乃至請求項３０のいずれか一項において、前記配線は、アルミニウム、ニッケル若しくはシリコンを含有するアルミニウム、又は銅を有することを特徴とする照明装置の作製方法。
【請求項３２】
請求項２３乃至請求項３１のいずれか一項において、前記基板は、可撓性を有することを特徴とする照明装置の作製方法。
【請求項３３】
請求項２３乃至請求項３２のいずれか一項において、前記基板の表面から前記絶縁層の表面までの距離は、前記絶縁層が形成されていない領域における前記基板表面から前記発光物質を含む層の表面までの距離より長いことを特徴とする照明装置の作製方法。
【請求項３４】
請求項２３乃至請求項３３のいずれか一項において、前記第１の電極と前記基板の間に、窒化珪素又は酸化珪素を含む絶縁層を形成することを特徴とする照明装置の作製方法。
【請求項３５】
請求項２３乃至請求項３４のいずれか一項において、前記発光物質を含む層は、第１の発光物質を含む層と、第２の発光物質を含む層と、前記第１の発光物質を含む層及び前記第２の発光物質を含む層の間に形成された電荷発生層とを有することを特徴とする照明装置の作製方法。